(57)【特許請求の範囲】
【請求項１】
機器、および機器側端部にフランジが発生している配管の間に複数経路部材からなる接続対象部を挿入する際に用いられる複数経路部材一括配置作図システムであって、
種々の経路部材の組み合わせの情報である経路部材組み合わせ情報を記憶した経路部材組み合わせ情報記憶手段、
前記機器および配管の接続部の属性情報を記憶した機器および配管接続部属性情報記憶手段、
前記経路部材の接続部の属性情報を記憶した経路部材接続部属性情報記憶手段、
機器と経路部材、あるいは２つの経路部材間に配置されるフランジ、ガスケット等の配管部品の属性情報を記憶した配管部品属性情報記憶手段、
複数経路部材を指示する複数経路部材指示手段、
前記複数経路部材の挿入位置を指示するための挿入位置指示手段、
決定した挿入配置位置に基づき機器および配管の属性情報から接続条件を読み出し、読み出した接続条件等により、前記複数の経路部材の属性を適合させる経路部材属性適合手段、
指示された挿入位置に対応する機器の接合部の属性を抽出し、配管部品を決定する第１配管部品決定手段、
複数経路部材間の配管部品を決定する第２配管部品決定手段、
複数経路部材の配管側の経路部材の接合部の属性から該経路部材と配管端部間に挿入される配管部品を決定する第３配管部品決定手段、
指示された挿入位置に予め配置されている配管部品を削除する配管部品削除手段、および
以上指示された複数経路部材および決定された配管部品を基にして自動作図を行う自動作図手段
を備えていることを特徴とする複数経路部材一括配置作図システム。
【請求項２】
入力手段および表示部を備えるコンピュータであって、
機器、および機器側端部にフランジが発生している配管の間に複数経路部材からなる接続対象部を挿入する際に用いられる複数経路部材一括配置作図システムに使用されるコンピュータを、
種々の経路部材の組み合わせの情報である経路部材組み合わせ情報を記憶した経路部材組み合わせ情報記憶手段、
前記機器および配管の接続部の属性情報を記憶した機器および配管接続部属性情報記憶手段、
前記経路部材の接続部の属性情報を記憶した経路部材接続部属性情報記憶手段、
機器と経路部材、あるいは２つの経路部材間に配置されるフランジ、ガスケット等の配管部品の属性情報を記憶した配管部品属性情報記憶手段、
複数経路部材を指示する複数経路部材指示手段、
決定した挿入配置位置に基づき機器および配管の属性情報から接続条件を読み出し、読み出した接続条件等により、前記複数の経路部材の属性を適合させる経路部材属性適合手段、
指示された挿入位置に配置されている配管部品を削除する配管部品削除手段、
指示された挿入位置に対応する機器の接合部の属性を抽出し、配管部品を決定する第１配管部品決定手段、
複数経路部材間の配管部品を決定する第２配管部品決定手段、
複数経路部材の配管側の経路部材の接合部の属性から該経路部材と配管端部間に挿入される配管部品を決定する第３配管部品決定手段、
指示された挿入位置に予め配置されている配管部品を削除する配管部品削除手段、および
以上指示された複数経路部材および決定された配管部品を基にして自動作図を行う自動作図手段
として機能させるためのプログラム。
【請求項３】
請求項２に記載のプログラムを記憶したコンピュータ読み取り可能な情報記憶媒体。
【請求項４】
連続する１本の配管経路の途中に複数経路部材からなる接続対象部を挿入する際に用いられる複数経路部材一括配置作図システムであって、
種々の経路部材の組み合わせの情報である経路部材組み合わせ情報を記憶した経路部材組み合わせ情報記憶手段、
前記配管の接続部の属性情報を記憶した配管接続部属性情報記憶手段、
前記経路部材の接続部の属性情報を記憶した経路部材接続部属性情報記憶手段、
配管と経路部材、あるいは２つの経路部材間に配置されるフランジ、ガスケット等の配管部品の属性情報を記憶した配管部品属性情報記憶手段、
複数経路部材を指示する複数経路部材指示手段、
前記複数経路部材の挿入位置を指示するための挿入位置指示手段、
決定した挿入配置位置に基づき機器および配管の属性情報から接続条件を読み出し、読み出した接続条件等により、前記複数の経路部材の属性を適合させる経路部材属性適合手段、
複数経路部材間の配管部品を決定する第１配管部品決定手段、
複数経路部材の配管側の経路部材の接合部の属性から該経路部材と配管端部間に挿入される配管部品を決定する第２配管部品決定手段、および
以上指示された複数経路部材および決定された配管部品を基にして自動作図を行う自動作図手段
を備えていることを特徴とする複数経路部材一括配置作図システム。
【請求項５】
入力手段および表示部を備えるコンピュータであって、
連続する１本の配管経路の途中に複数経路部材からなる接続対象部を挿入する際に用いられる複数経路部材一括配置作図システムであって、
種々の経路部材の組み合わせの情報である経路部材組み合わせ情報を記憶した経路部材組み合わせ情報記憶手段、
前記配管の接続部の属性情報を記憶した配管接続部属性情報記憶手段、
前記経路部材の接続部の属性情報を記憶した経路部材接続部属性情報記憶手段、
配管と経路部材、あるいは２つの経路部材間に配置されるフランジ、ガスケット等の配管部品の属性情報を記憶した配管部品属性情報記憶手段、
複数経路部材を指示する複数経路部材指示手段、
前記複数経路部材の挿入位置を指示するための挿入位置指示手段、
決定した挿入配置位置に基づき機器および配管の属性情報から接続条件を読み出し、読み出した接続条件等により、前記複数の経路部材の属性を適合させる経路部材属性適合手段、
複数経路部材間の配管部品を決定する第１配管部品決定手段、
複数経路部材の配管側の経路部材の接合部の属性から該経路部材と配管端部間に挿入される配管部品を決定する第２配管部品決定手段、および
以上指示された複数経路部材および決定された配管部品を基にして自動作図を行う自動作図手段
として機能させるためのプログラム。
【請求項６】
請求項５に記載のプログラムを記憶したコンピュータ読み取り可能な情報記憶媒体。
【発明の詳細な説明】
【技術分野】
【０００１】
本発明は、効率的に工作物の設計図を作成することができる複数経路部材一括配置システム、プログラムおよび情報記憶媒体を提供する。
【背景技術】
【０００２】
従来の建築設備CADシステムにおいては、配管に対して弁類を組合せ入力する処理が無く、単体のシンボル挿入を繰返しながら作図を行なっていたため、作図にあたっての操作数が多く、目的の部品を探すのに誤動作があった。また組合せの整合を取るためにフランジ等の削除の作業が発生し操作性が悪かった。
【発明の概要】
【発明が解決しようとする課題】
【０００３】
本発明は、工作物の複数の組合せ作図処理により従来の作図機能より大幅な効率化が図れる複数経路部材一括配置作図システム、プログラムおよび情報記憶媒体を提供することを目的とするものである。 
【課題を解決するための手段】
【０００４】
前記目的は、以下（１）〜（６）の構造の複数経路部材一括配置作図システム、プログラムおよび情報記憶媒体により達成することができる。
（１）
機器、および機器側端部にフランジが発生している配管の間に複数経路部材からなる接続対象部を挿入する際に用いられる複数経路部材一括配置作図システムであって、
種々の経路部材の組み合わせの情報である経路部材組み合わせ情報を記憶した経路部材組み合わせ情報記憶手段、
前記機器および配管の接続部の属性情報を記憶した機器および配管接続部属性情報記憶手段、
前記経路部材の接続部の属性情報を記憶した経路部材接続部属性情報記憶手段、
機器と経路部材、あるいは２つの経路部材間に配置されるフランジ、ガスケット等の配管部品の属性情報を記憶した配管部品属性情報記憶手段、
複数経路部材を指示する複数経路部材指示手段、
前記複数経路部材の挿入位置を指示するための挿入位置指示手段、
決定した挿入配置位置に基づき機器および配管の属性情報から接続条件を読み出し、読み出した接続条件等により、前記複数の経路部材の属性を適合させる経路部材属性適合手段、
指示された挿入位置に対応する機器の接合部の属性を抽出し、配管部品を決定する第１配管部品決定手段、
複数経路部材間の配管部品を決定する第２配管部品決定手段、
複数経路部材の配管側の経路部材の接合部の属性から該経路部材と配管端部間に挿入される配管部品を決定する第３配管部品決定手段、
指示された挿入位置に予め配置されている配管部品を削除する配管部品削除手段、および
以上指示された複数経路部材および決定された配管部品を基にして自動作図を行う自動作図手段
を備えていることを特徴とする複数経路部材一括配置作図システム。
（２）
入力手段および表示部を備えるコンピュータであって、
機器、および機器側端部にフランジが発生している配管の間に複数経路部材からなる接続対象部を挿入する際に用いられる複数経路部材一括配置作図システムに使用されるコンピュータを、
種々の経路部材の組み合わせの情報である経路部材組み合わせ情報を記憶した経路部材組み合わせ情報記憶手段、
前記機器および配管の接続部の属性情報を記憶した機器および配管接続部属性情報記憶手段、
前記経路部材の接続部の属性情報を記憶した経路部材接続部属性情報記憶手段、
機器と経路部材、あるいは２つの経路部材間に配置されるフランジ、ガスケット等の配管部品の属性情報を記憶した配管部品属性情報記憶手段、
複数経路部材を指示する複数経路部材指示手段、
決定した挿入配置位置に基づき機器および配管の属性情報から接続条件を読み出し、読み出した接続条件等により、前記複数の経路部材の属性を適合させる経路部材属性適合手段、
指示された挿入位置に配置されている配管部品を削除する配管部品削除手段、
指示された挿入位置に対応する機器の接合部の属性を抽出し、配管部品を決定する第１配管部品決定手段、
複数経路部材間の配管部品を決定する第２配管部品決定手段、
複数経路部材の配管側の経路部材の接合部の属性から該経路部材と配管端部間に挿入される配管部品を決定する第３配管部品決定手段、
指示された挿入位置に予め配置されている配管部品を削除する配管部品削除手段、および
以上指示された複数経路部材および決定された配管部品を基にして自動作図を行う自動作図手段
として機能させるためのプログラム。
（３）
前記（２）に記載のプログラムを記憶したコンピュータ読み取り可能な情報記憶媒体。
（４）
連続する１本の配管経路の途中に複数経路部材からなる接続対象部を挿入する際に用いられる複数経路部材一括配置作図システムであって、
種々の経路部材の組み合わせの情報である経路部材組み合わせ情報を記憶した経路部材組み合わせ情報記憶手段、
前記配管の接続部の属性情報を記憶した配管接続部属性情報記憶手段、
前記経路部材の接続部の属性情報を記憶した経路部材接続部属性情報記憶手段、
配管と経路部材、あるいは２つの経路部材間に配置されるフランジ、ガスケット等の配管部品の属性情報を記憶した配管部品属性情報記憶手段、
複数経路部材を指示する複数経路部材指示手段、
前記複数経路部材の挿入位置を指示するための挿入位置指示手段、
決定した挿入配置位置に基づき機器および配管の属性情報から接続条件を読み出し、読み出した接続条件等により、前記複数の経路部材の属性を適合させる経路部材属性適合手段、
複数経路部材間の配管部品を決定する第１配管部品決定手段、
複数経路部材の配管側の経路部材の接合部の属性から該経路部材と配管端部間に挿入される配管部品を決定する第２配管部品決定手段、および
以上指示された複数経路部材および決定された配管部品を基にして自動作図を行う自動作図手段
を備えていることを特徴とする複数経路部材一括配置作図システム。
（５）
入力手段および表示部を備えるコンピュータであって、
連続する１本の配管経路の途中に複数経路部材からなる接続対象部を挿入する際に用いられる複数経路部材一括配置作図システムであって、
種々の経路部材の組み合わせの情報である経路部材組み合わせ情報を記憶した経路部材組み合わせ情報記憶手段、
前記配管の接続部の属性情報を記憶した配管接続部属性情報記憶手段、
前記経路部材の接続部の属性情報を記憶した経路部材接続部属性情報記憶手段、
配管と経路部材、あるいは２つの経路部材間に配置されるフランジ、ガスケット等の配管部品の属性情報を記憶した配管部品属性情報記憶手段、
複数経路部材を指示する複数経路部材指示手段、
前記複数経路部材の挿入位置を指示するための挿入位置指示手段、
決定した挿入配置位置に基づき機器および配管の属性情報から接続条件を読み出し、読み出した接続条件等により、前記複数の経路部材の属性を適合させる経路部材属性適合手段、
複数経路部材間の配管部品を決定する第１配管部品決定手段、
複数経路部材の配管側の経路部材の接合部の属性から該経路部材と配管端部間に挿入される配管部品を決定する第２配管部品決定手段、および
以上指示された複数経路部材および決定された配管部品を基にして自動作図を行う自動作図手段
として機能させるためのプログラム。
（６）
前記（５）に記載のプログラムを記憶したコンピュータ読み取り可能な情報記憶媒体。
【発明の効果】
【０００５】
以上の構成の本発明によれば、接続対象部の複数の組み合わせおよび配管部品の組み合わせの作図処理を容易に行うことができる。
【図面の簡単な説明】
【０００６】
【図１】本発明の実施形態に係る複数経路部材一括配置作図システムのブロック図である。
【図２】複数経路部材が挿入されるべき機器と配管の状態を示す図である。
【図３】本発明の実施形態の複数経路部材一括配置作図システムによって自動挿入される複数経路部材の選択画面を示す図である。
【図４】本発明の実施形態の複数経路部材一括配置作図システムにより、機器と配管端部との間に複数経路部材が挿入された状態を示す図である。
【図５】配管と、その配管経路上に挿入されるべき複数経路部材を示す図である。
【図６】本発明の他の実施形態の複数経路部材一括配置作図システムにより、配管経路上に複数経路部材を挿入した状態を示す図である。
【発明を実施するための形態】
【０００７】
以下、添付図面を参照しつつ、本発明を実施するための形態による複数経路部材自動配管作図システム等を説明する。
【０００８】
図１は、本発明の実施形態に係る複数経路部材一括配置作図システムのブロック図である。
【０００９】
本発明の実施形態に係る自動配管作図システム１００は、表示部１０と、記憶部２０と、処理部３０と、操作部４０と、情報記憶媒体５０とを含む。
【００１０】
表示部１０は、操作部４０からの入力に応じて、複数経路部材である接続対象部が挿入配置される被接続対象部である機器、配管等を表示する。表示部１０の機能は、被接続対象部を表示することができるものであれば特に限定されず、たとえば、たとえばディスプレイ（液晶ディスプレイ、プラズマディスプレイ、有機ＥＬディスプレイ）、ＣＲＴを挙げることができる。表示部１０には、図２に示すように、作図ウィンドウ６０が表示され、その作図ウィンドウに２次元の平面データ領域６２、２次元の断面データ領域６４および３次元データ領域６６を表示することができる。なお、これらの３つのデータ６２，６４，６６のうち、一つのデータまたは二つのデータのみ表示してもよい。
【００１１】
記憶部２０は、図１に示したように、被接続対象部の第１属性情報を記憶した第１属性情報記憶手段２０ａと、複数経路部材からなる接続対象部の第２属性情報を記憶した第２属性情報記憶手段記憶手段２０ｂと、フランジ、ガスケット、ニップルなどである配管部品の第３属性情報を記憶した第３属性情報記憶手段２０ｃと、被接続対象部および接続対象部の図形情報を記憶した図形情報記憶手段２０ｄを含む。
【００１２】
第１属性情報記憶手段２０ａは、被接続対象部の接続方式、接続口径、接続取付高さ、接続仕様等の属性情報を記憶している。
第２属性情報記憶手段２０ｂは、接続対象部ごとにその種類情報および必要条件情報を含む属性情報を記憶している。この属性情報は、被接続対象部の接続部ごとに設定され、接続対象部の種類および必要条件などの情報を含む。また、属性情報には、その接続対象部の寸法（たとえば幅、奥行き、高さ）などの情報を含むことができる。接続対象部の種類とは、バルブであるとか、ストレーナであるとかである。
【００１３】
記憶部２０の機能は、光ディスク（ＣＤ、ＤＶＤ）、光磁気ディスク（ＭＯ）、磁気ディスク、ハードディスク、磁気テープ、またはメモリ（ＲＯＭ、ＲＡＭ）などのハードウェアにより実現できる。なお、記憶部２０の機能がＲＡＭにより実現される場合には、属性情報や設計条件が記憶された情報記憶媒体から、電源立ち上げ時にそれらの情報を読み取る必要がある。
【００１４】
処理部３０は、作図指令手段３０ａと、表示制御手段３０ｂと、挿入配置位置決定手段３０ｃと、接続条件抽出手段３０ｄと、起動手段３０ｅと、属性決定手段３０ｆと、図形情報生成手段３０ｇと、図形情報抽出手段３０ｈとを含む。
【００１５】
作図指令手段３０ａは、被接続対象部間に挿入配置される接続対象部の作図を指令する手段である。接続対象部は、被接続対象部間に挿入配置されるものであるが、たとえば、被接続対象部がポンプ７０と配管７２である場合には接続対象部はゲートバルブ７４とストレーナ７６となる。
【００１６】
表示制御手段３０ｂは、作図指令手段により作図の指示をされた接続対象部を表示部１０に表示されるように制御するものである。
【００１７】
挿入配置位置決定手段３０ｃは、表示部１０に表示された被接続対象部の挿入配置位置のうち、一つの挿入配置位置を決定するものである。
【００１８】
接続条件抽出手段３０ｄは、挿入配置位置決定手段３０ｃにより決定された挿入配置位置に基づき、被接続対象部に対応する属性情報から、その挿入配置位置に挿入配置される接続対象部の種類および必要条件を抽出するものである。また、接続対象部の必要条件としては、たとえば寸法（接続対象部が配管の場合は径）などを挙げることができる。
【００１９】
起動手段３０ｅは、接続条件抽出手段３０ｄにより抽出された接続対象部の種類および必要条件を満たす接続対象部の作図を指令する作図指令手段３０ａを起動するものである。たとえば、挿入配置位置決定手段３０ｃにより複数経路部材が挿入配置される挿入配置位置が選択された場合には、起動手段３０ｅは、配管の作図を指令する作図指令手段３０ａを自動起動する。
属性決定手段３０ｆは、属性記憶手段から被接続対象部、接続対象部、配管部品の属性を抽出決定するための機能を有している。
【００２０】
図形情報生成手段３０ｇは、２次元の図形情報（平面の図形情報、断面の図形情報を含む。）および３次元の図形情報を生成するものである。具体的には、図形情報生成手段３０ｇは、属性情報に含まれる構成要素の寸法にしたがって、図形情報（たとえばパラメトリック図形）を生成する。属性情報に含まれる寸法に基づいて図形情報（パラメトリック図面）を作成することにより、記憶部２０に記憶する図形情報をその分だけ減らすことができる。
【００２１】
図形情報抽出手段３０ｈは、図形情報記憶手段２０ｃから被接続対象部の２次元の図形情報（平面図の図形情報、断面図の図形情報）または３次元の図形情報を抽出するものである。
【００２２】
処理部３０の機能は、プロセッサ（たとえばＣＰＵ）により実現することができる。
【００２３】
操作部４０は、操作者が操作データを入力するためのものである。操作部４０は、操作者が操作データを入力することができるものあれば特に限定されず、その機能は、たとえば、キーボード、マウスにより実現できる。
【００２４】
操作部４０は、操作者が被接続対象部および接続部を指定するための手段である。たとえば、操作部４０としてのマウスにより画面上に表示されたカーソルを動かし、カーソルが所定領域にあるときにマウスをクリックすることで、接続領域を指定することができる。
【００２５】
情報記憶媒体５０は、プログラム（たとえば、設計図作成システムを実行するプログラム）などの情報を記憶させるものである。情報記憶媒体５０の機能は、光ディスク（ＣＤ、ＤＶＤ）、光磁気ディスク（ＭＯ）、磁気ディスク、ハードディスク、磁気テープ、またはメモリ（ＲＯＭ）などのハードウェアにより実現できる。
【００２６】
次に、本発明の実施形態による複数経路部材一括配置作図を、第１および第２被接続対象部としてそれぞれポンプ、配管を、接続対象部としてゲートバルブおよびストレーナの組み合わせを例に挙げて、図２以降を参照しながら説明する。
【００２７】
表示部１０に、第１および第２被接続対象部としてポンプ７０および配管７２が表示されているものとするとして説明する。このとき、ポンプ７０および配管７２の間には、フランジ７４が発生しているものとする。また、ポンプ７０および配管７２の間には、ゲートバルブＧＶおよびストレーナＳＴの組み合わせである複数経路部材７６が挿入配置されるものとする。
【００２８】
まず、図３の複数経路部材選択画面で、所望の複数経路部材を選択する。ここでは、ゲートバルブＧＶおよびストレーナＳＴの組み合わせである複数経路部材７６を選択する。このように、ゲートバルブＧＶおよびストレーナＳＴの組み合わせである複数経路部材７６が選択されると、複数経路部材７６を構成する部材がゲートバルブＧＶおよびストレーナＳＴであることを認識し、それらの間に挿入されるべきガスケット７８が選択生成される。
【００２９】
次に、表示部１０に表示された第１および第２被接続対象部７０、７２の図形を基にし、操作手段４０により複数経路部材の挿入配置領域を指定する。この挿入配置領域の指定は、たとえばカーソルをマウスで動かし、マウスをクリックすることで行うことができる。たとえば、表示部１０上の所定の点をクリックすると、そのクリック位置から、水平線Ｈに垂線が引かれ、その交点が配管７２端部よりポンプ７０側であった場合には、配管７２端部が挿入配置位置として指定されたものとして判断し、挿入配置位置を決定する。
このとき、予め発生しているフランジ７４は、後に挿入配置される複数経路部材には必要がないので、削除する。
【００３０】
次に、接続条件抽出手段３０ｄが、決定した挿入配置位置に基づき第１および第２被接続対象部の属性情報（第１および第２被接続対象部の属性：接続口径、接続タイプ、取付高さ）から接続条件を読み出す。読み出した接続条件等により、接続対象部であるゲートバルブＧＶの径、ストレーナＳＴの径等の属性を適合させるとともに、ゲートバルブＧＶとポンプ７０の間に挿入されるのに適合した配管部品であるガスケット７８の選択、ストレーナＳＴと配管７２の間に挿入されるのに適合した配管部品であるフランジ８０の選択を行う。被接続対象部や接続対象部として上記と異なる工作物が使用される場合には、配管部品としてニップル等が使用されることもある。このように選択された接続対象部および配管部品を一括して決定した挿入配置位置に挿入配置する。
以上のようにして、本発明の実施形態に従い２つの被接続対象部間への複数経路部材の一括配置を行う。
【００３１】
最後に、以上のように複数経路部材が２つの被接続対象部間へ一括配置された構成図を自動的に作図し図４を得る。
【００３２】
次に、本発明の実施形態による複数経路部材一括配置作図システムを用いての２つの被接続対象部への複数経路部材の一括配置の手順について図５および図６を参照しつつ説明する。
【００３３】
ここでは、被接続対象部として配管を、接続対象部としてゲートバルブおよびストレーナの組み合わせを例に挙げる。
【００３４】
表示部１０には、図５に示したように、被接続対象部として配管７２が表示されている。
【００３５】
まず、図３の複数経路部材選択画面で、所望の複数経路部材を選択する。ここでは、ゲートバルブＧＶおよびストレーナＳＴの組み合わせである複数経路部材７６を選択する。このように、ゲートバルブＧＶおよびストレーナＳＴの組み合わせである複数経路部材７６が選択されると、複数経路部材７６を構成する部材がゲートバルブＧＶおよびストレーナＳＴであることを認識し、それらの間に挿入されるべきガスケット７８が選択生成される。
【００３６】
次に、表示部１０に表示された被接続対象部７２（配管）の図形を基にし、操作手段４０により複数経路部材の挿入配置領域を指定する。この挿入配置領域の指定は、たとえばカーソルをマウスで動かし、マウスをクリックすることで行うことができる。たとえば、表示部１０上の所定の点をクリックすると、そのクリック位置から、水平線Ｈに垂線が引かれ、その交点が配管７２上であった場合には、該配管７２上が挿入配置位置として指定されたものとして判断し、挿入配置位置を決定する。
【００３７】
次に、接続条件抽出手段３０ｄが、決定した挿入配置位置に基づき被接続対象部の属性情報（被接続対象部の属性：接続口径、接続タイプ、取付高さ）から接続条件を読み出す。読み出した接続条件等により、ゲートバルブＧＶの径、ストレーナＳＴの径等の属性を適合させるとともに、ゲートバルブＧＶとポンプ７０の間に挿入されるのに適合したガスケット７８の選択、配管７２とゲートバルブＧＶの間に挿入されるのに適合したフランジ９０、ストレーナＳＴと配管７２の間に挿入されるのに適合したフランジ９２の選択を行う。
以上のようにして、本発明の実施形態に被接続対象部経路上への複数経路部材の一括配置を行う。
【００３８】
最後に、以上のように複数経路部材が２つの被接続対象部間へ一括配置された構成図を自動的に作図し図６を得る。
【符号の説明】
【００３９】
１０    表示部
２０    記憶部
２０ａ  第１属性情報記憶手段
２０ｂ  第２属性情報記憶手段
２０ｃ  第３属性情報記憶手段
２０ｄ  図形属性情報記憶手段
３０    処理部
３０ａ  作図指令手段
３０ｂ  表示制御手段
３０ｃ  挿入配置位置決定手段
３０ｄ  接続条件抽出手段
３０ｅ  起動手段
３０ｆ  属性決定手段
３０ｇ  図形情報生成手段
３０ｈ  図形情報抽出手段
４０    操作部
５０    情報記憶媒体
７０  第１被接続対象部
７２  第２被接続対象部
７４  フランジ
７６  複数経路部材
７８  ガスケット
８０  フランジ
９０  フランジ
９２  フランジ
【図１】
0005503691.tif 000002
【図２】
0005503691.tif 000003
【図３】
0005503691.tif 000004
【図４】
0005503691.tif 000005
【図５】
0005503691.tif 000006
【図６】
0005503691.tif 000007